(57)【要約】【課題】配管のメンテナンス性の向上を図ることができる大便器ユニットを提供する。【解決手段】大便器ユニット１は、壁面Ｗの前方に配置された固定部材１１、固定部材１１の上部に取り付けられた天板１２、及び天板１２の前端部から下方に延びる形態で固定部材１１の前部に取り付けられた前板１３を有するライニング１０と、ライニング１０内に配置されて洗浄水を貯留する洗浄タンク２０と、前板１３の前面に配置されているとともに、洗浄タンク２０に接続されて洗浄水が供給される大便器３０と、を備えており、洗浄タンク２０の後方には、配管Ｐ１〜Ｐ５が配されていることを特徴とする。【選択図】図２
2019190191.tif 000002
【特許請求の範囲】
【請求項１】
壁面の前方に配置された固定部材、前記固定部材の上部に取り付けられた天板、及び前記天板の前端部から下方に延びる形態で前記固定部材の前部に取り付けられた前板を有するライニングと、
前記ライニング内に配置されて洗浄水を貯留する洗浄タンクと、
前記前板の前面に配置されているとともに、前記洗浄タンクに接続されて洗浄水が供給される大便器と、
を備えており、
前記洗浄タンクの後方には、少なくとも１系統の配管が配されていることを特徴とする大便器ユニット。
【請求項２】
前記大便器の上面に載置された便座装置を備えており、
前記洗浄タンクの下端は前記便座装置の上端よりも下方に位置していることを特徴とする請求項１記載の大便器ユニット。
【請求項３】
前記洗浄タンクは、前記前板に近接させて配置されていることを特徴とする請求項１又は２記載の大便器ユニット。
【発明の詳細な説明】
【技術分野】
【０００１】
本発明は、大便器ユニットに関する。
【背景技術】
【０００２】
特許文献１には従来の大便器ユニットが開示されている。この大便器ユニットは、便器後部のキャビネット内に隠蔽された状態で配置されるタンク装置を備えている。また、キャビネット内には大便器ユニットが設置された施設側の配管が複数配されている。
【先行技術文献】
【特許文献】
【０００３】
【特許文献１】特開２０１７−６６６７３号公報
【発明の概要】
【発明が解決しようとする課題】
【０００４】
特許文献１の大便器ユニットの場合、施設側の配管はタンク装置の下方に配されている。この場合、タンク装置の施工やメンテナンス性は良好である反面、配管のメンテナンスは困難であった。
【０００５】
本発明は、上記従来の実情に鑑みてなされたものであって、配管のメンテナンス性の向上を図ることができる大便器ユニットを提供することを解決すべき課題としている。
【課題を解決するための手段】
【０００６】
本発明の大便器ユニットは、
壁面の前方に配置された固定部材、前記固定部材の上部に取り付けられた天板、及び前記天板の前端部から下方に延びる形態で前記固定部材の前部に取り付けられた前板を有するライニングと、
前記ライニング内に配置されて洗浄水を貯留する洗浄タンクと、
前記前板の前面に配置されているとともに、前記洗浄タンクに接続されて洗浄水が供給される大便器と、
を備えており、
前記洗浄タンクの後方には、少なくとも１系統の配管が配されていることを特徴とする。
【０００７】
本発明の大便器ユニットは、洗浄タンクが大便器後方のライニング内に配置されている。また、洗浄タンクの後方には配管が配されている。このため、配管のメンテナンスを行う際には、洗浄タンクを取り外すことなく、天板を外してライニングの上方から行うことができる。
【０００８】
したがって、本発明の大便器ユニットは、配管のメンテナンス性の向上を図ることができる。
【図面の簡単な説明】
【０００９】
【図１】実施例１に係る大便器ユニットが設置されたトイレ設備を模式的に示す図である。
【図２】実施例１に係る大便器ユニットを示す部分断面側面図である。
【図３】実施例１に係る大便器ユニットを示す正面図である。
【発明を実施するための形態】
【００１０】
本発明における好ましい実施の形態を説明する。
【００１１】
本発明の大便器ユニットは、前記大便器の上面に載置された便座装置を備え得る。そして、前記洗浄タンクの下端は前記便座装置の上端よりも下方に位置し得る。
この場合、洗浄タンクの下端を低い位置にすることができるため、洗浄タンクの上下寸法の大きさを確保することができる。このため、この大便器ユニットは洗浄タンクの奥行寸法が比較的小さい場合であっても、十分な容量を確保することができる。
【００１２】
本発明の大便器ユニットにおいて、前記洗浄タンクは、前記前板に近接させて配置され得る。
この場合、洗浄タンクの背後のスペースをより大きく確保することができ、配管のメンテナンスをより容易に行うことができる。
【００１３】
＜実施例１＞
以下、本発明を具体化した実施例１について、図面を参照しつつ説明する。なお、以下の説明において、前後方向、左右方向、上下方向とは、便器に着座した状態の使用者から見た前後方向、左右方向、上下方向を夫々示すものとする。例えば、図１の場合には左右方向が前後方向である。
【００１４】
図１に示すように、実施例１の大便器ユニット１は公共施設等のトイレ設備Ｔに設置されるユニットである。大便器ユニット１は、トイレ設備Ｔの壁面Ｗに沿って並んで配置される複数（図１の場合、３つ）のトイレ個室Ｓの夫々に設置されている。図２及び図３に示すように、トイレ設備Ｔには、各トイレ個室Ｓを横断する形態で、通気配管Ｐ１、温水配管Ｐ２、上水配管Ｐ３、中水配管Ｐ４、及び排水配管Ｐ５の計５系統の各種配管が壁面Ｗに沿って上下に並んで配設されている。
【００１５】
図２及び図３に示すように、大便器ユニット１は、ライニング１０、洗浄タンク２０、及び大便器３０を備えている。また、本実施例の大便器ユニット１は、便座装置４０を備えている。ライニング１０は、大便器ユニット１が設置される空間の壁面Ｗから前方に突出する形態で配置されている。洗浄タンク２０はライニング１０内に配置されて洗浄水を貯留する。洗浄タンク２０には中水配管Ｐ４が接続されており、この中水配管Ｐ４から洗浄水としての中水が供給される。大便器３０は、ライニング１０の前板１３の前面に配置されている。大便器３０は、洗浄タンク２０に接続されて洗浄水が供給される。便座装置４０は大便器３０の上面に載置されている。
【００１６】
ライニング１０は、固定部材１１、天板１２及び前板１３を有している。固定部材１１は、構造用材料を組み合わせて形成された部材である。固定部材１１は、壁面Ｗ及び床面Ｆに固定されている。詳細には、固定部材１１は、壁面Ｗから前方に延びる形態で配される上固定部１１Ａと、この上固定部１１Ａの前端から下方に延びて床面Ｆに当接して固定される前固定部１１Ｂと、を有している。
【００１７】
また、本実施例の場合、固定部材１１には、配管Ｐ１〜Ｐ５を夫々支持する配管支持部１１Ｃと、洗浄タンク２０を固定するタンク固定部１１Ｄと、大便器３０を固定する便器固定部１１Ｅとが設けられている。これら配管支持部１１Ｃ、タンク固定部１１Ｄ及び便器固定部１１Ｅは、夫々前固定部１１Ｂから後方に向かって延びる形態で、夫々前固定部１１Ｂに取り付けられている。
【００１８】
図３に示すように、便器固定部１１Ｅは、左右方向に所定の間隔を空けて一対設けられている。左右の便器固定部１１Ｅの間には後述する洗浄管３１が配されている。また、便器固定部１１Ｅは、図２に示すように、前固定部１１Ｂに沿って上下に延びる脚１１Ｆと、この脚１１Ｆの下端部から床面Ｆに沿って後方に延びるベース１１Ｇを有する側面視略Ｌ字形状をなしている。脚１１Ｆは、図２に示すように、前端が鉛直方向に延びるとともに後端が下方に向かうにつれて後方に延びる形態の側面視台形状をなしている。すなわち、脚１１Ｆは、下端において最も後端まで延びて形成されている。ベース１１Ｇは脚１１Ｆの下端面に固定されて脚１１Ｆの後端よりも後方まで延びて形成されている。
【００１９】
天板１２は固定部材１１の上固定部１１Ａに着脱自在に取り付けられている。天板１２は、取り外すことでライニング１０内の空間にアクセスすることができるようにされている。前板１３は、天板１２の前端部から下方に延びる形態で、固定部材１１の前固定部１１Ｂに取り付けられている。前板１３は、天板１２側の上前板１３Ａと、この上前板１３Ａの下端から床面Ｆの近傍まで延びる下前板１３Ｂと、の２つの部材に分割されている。上前板１３Ａは、大便器３０の上端から上方を覆っている。下前板１３Ｂは大便器３０の上端から下側に対応して配置されている。下前板１３Ｂには、大便器３０の後面に対応した形状の切欠きが形成されている。すなわち、大便器３０は、下前板１３Ｂを前後に貫通する形態で、固定部材１１の便器固定部１１Ｅに固定されている。なお、下前板１３Ｂの下端は床面Ｆから浮いた状態とされており、この下前板１３Ｂの下端と床面Ｆとの間には巾木１４が配されている。
【００２０】
洗浄タンク２０はライニング１０内の上部に配置されている。詳細には、洗浄タンク２０は、固定部材１１のタンク固定部１１Ｄに上方から載置されて固定されている。図２に示すように、本実施例の場合、洗浄タンク２０は、その下端が便座装置４０の上端よりも下方に位置している。また、洗浄タンク２０は、ライニング１０内において前板１３に寄せて配置するようにしている。また、洗浄タンク２０の上端はライニング１０の天板１２の下面近傍まで延びて設けられている。更に、洗浄タンク２０の左右方向の大きさは大便器３０の横幅よりも大きく設けている。このような形態の洗浄タンク２０は、図２に示すように、側面視において、上下方向を長手方向とする長方形状をなしているとともに、正面視においては、図３に示すように、上下方向の大きさと左右方向の大きさが略等しい正方形状をなしている。
【００２１】
図２及び図３に示すように、大便器３０は、後面において便器固定部１１Ｅに固定されており、下面は床面Ｆから浮いた状態とされた所謂壁掛け便器である。大便器３０は洗浄管３１によって洗浄タンク２０と接続されており、この洗浄管３１を介して洗浄タンク２０内の洗浄水が供給される。また、大便器３０は排水管３２によって排水配管Ｐ５に接続されており、大便器３０を洗浄した洗浄水が排水される。
【００２２】
本実施例において、洗浄管３１は、洗浄タンク２０の下面の前後方向中央部に接続されて下方に延びるとともに、側面視略Ｌ字形状に前方に湾曲して大便器３０に接続されている。このように洗浄タンク２０と大便器３０とを接続する洗浄管３１は、図２に示すように、洗浄タンク２０から下方に延びる部位の中心線Ｃが、便器固定部１１Ｅの脚１１Ｆの後端よりも前方に位置している。更に、本実施例の場合、洗浄管３１は、その全体が脚１１Ｆの後端よりも前方に位置している。
【００２３】
便座装置４０は便座４１を有する装置である。本実施例では、更に、便蓋４２、機能部４３を有している。便座４１及び便蓋４２は、各後端部において機能部４３に回動自在に軸支されて開閉する。更に、機能部４３には、局部洗浄機能を有する装置が搭載されている。便座装置４０は図示しない配管を介して上水配管Ｐ３に接続されており、局部洗浄用の上水が供給される。
なお、配管Ｐ１〜Ｐ５のうち、通気配管Ｐ１は、排水トラップの破封を防止するために、排水配管Ｐ５の下流側に接続されて大気開放するための配管である。また、温水配管Ｐ２は、トイレ設備Ｔの洗面台等に温水を供給するための配管である。
【００２４】
次に、実施例１の大便器ユニット１の施工方法について説明する。なお、本実施例では、配管Ｐ１〜Ｐ５は、トイレ個室Ｓ毎に分割されており、大便器ユニット１の施工後にユニオンやフランジ等の継手によって隣接するトイレ個室Ｓの配管と接続される。各配管Ｐ１〜Ｐ５は、大便器ユニット１の施工後に配するようにしてもよいが、予め各配管Ｐ１〜Ｐ５をライニング１０の配管支持部１１Ｃに固定しておくと、トイレ個室Ｓ内での作業を軽減できて好ましい。
【００２５】
大便器ユニット１を施工するにあたっては、最初に、ライニング１０を壁面Ｗ及び床面Ｆに固定する。具体的には、ライニング１０の固定部材１１の上固定部１１Ａの後端を壁面Ｗに固定するとともに、前固定部１１Ｂの下端を床面Ｆに固定する。
【００２６】
次に、洗浄タンク２０及び大便器３０をライニング１０のタンク固定部１１Ｄ及び便器固定部１１Ｅに夫々取り付ける。また、洗浄タンク２０を中水配管Ｐ４に接続するとともに、洗浄タンク２０と大便器３０とを洗浄管３１により接続する。また、大便器３０に排水管３２を組み付けて排水配管Ｐ５に接続する。更に、便座装置４０を大便器３０に載置するとともに上水配管Ｐ３と接続する。
【００２７】
最後に、天板１２及び前板１３を固定部材１１の上固定部１１Ａ及び前固定部１１Ｂに夫々固定する。なお、前板１３は、上前板１３Ａ及び下前板１３Ｂの２つに分割されている。下前板１３Ｂについては、大便器３０の後面に対応した形状の切欠きが形成されているので、大便器３０を便器固定部１１Ｅに固定する前に取り付けておいてもよい。
【００２８】
次に、実施例１の大便器ユニット１の作用効果について説明する。
大便器ユニット１は、ライニング１０内に配管Ｐ１〜Ｐ５が配されている。これらの配管Ｐ１〜Ｐ５は、洗浄タンク２０の後方に配されている。具体的には、配管Ｐ１〜Ｐ３は、洗浄タンク２０の後方であり且つ洗浄タンク２０と壁面Ｗとの間に配されており、配管Ｐ４及びＰ５は、洗浄タンク２０の後方且つ下方に配されている。また、洗浄タンク２０は、前板１３に近接させて配置されている。このため、天板１２を取り外すことで、ライニング１０の上方から、ユニオン等の配管の継ぎ目の目視による漏水確認等のメンテナンス作業を行うことが可能である。
【００２９】
また、洗浄タンク２０の下端を便座装置４０の上端よりも下方に位置させたことで、洗浄タンク２０の容積の確保を実現している。具体的には、上端をライニング１０の天板１２の近傍に位置させるとともに下端を便座装置４０の上端より下方に位置させ、側面視において上下方向を長手方向とする長方形状に形成している。これにより、洗浄タンク２０は、従来の洗浄タンクよりも前後方向の寸法を抑えつつ十分な容積が確保されている。また、前後方向の寸法を抑えたことで、洗浄タンク２０の背後に、配管の横断スペース及びメンテナンススペースを十分に確保することが可能となっている。更に、洗浄タンク２０をライニング１０内において前板１３に寄せて配置したことで、より大きな洗浄タンク２０の後方スペースの確保を可能にしている。また、このような大便器ユニット１は、例えば、従来と同様の奥行の大きさのライニング１０としながらも、洗浄タンク２０の背後の配管スペースを確保しつつ洗浄タンク２０の十分な容量の確保が可能である。
【００３０】
以上のように、実施例１の大便器ユニット１は、ライニング１０、洗浄タンク２０及び大便器３０を備えている。ライニング１０は、固定部材１１、天板１２及び前板１３を有している。固定部材１１は壁面Ｗの前方に配されている。天板１２は、固定部材１１の上部に取り付けられている。前板１３は、天板１２の前端部から下方に延びる形態で固定部材１１の前部に取り付けられている。洗浄タンク２０は、ライニング１０内に配置されて洗浄水を貯留する。大便器３０は、前板１３の前面に配置されているとともに、洗浄タンク２０に接続されて洗浄水が供給される。そして、洗浄タンク２０の後方には、配管Ｐ１〜Ｐ５が配されている。
【００３１】
大便器ユニット１は、洗浄タンク２０が大便器３０の後方のライニング内に配置されている。また、洗浄タンク２０の後方には配管Ｐ１〜Ｐ５が配されている。このため、配管Ｐ１〜Ｐ５のメンテナンスを行う際には、洗浄タンク２０を取り外すことなく、天板１２を外してライニング１０の上方から行うことができる。
【００３２】
したがって、大便器ユニット１は、配管のメンテナンス性の向上を図ることができる。
【００３３】
また、大便器ユニット１は、大便器３０の上面に載置された便座装置４０を備えている。そして、洗浄タンク２０の下端は便座装置４０の上端よりも下方に位置している。これにより、洗浄タンク２０の上下の寸法の大きさを確保することができるので、洗浄タンクの奥行寸法が比較的小さい場合であっても、十分な容量を確保することができる。
【００３４】
また、洗浄タンク２０は、前板１３に近接させて配置されているので、洗浄タンク２０の背後のスペースをより大きく確保することができ、配管Ｐ１〜Ｐ５のメンテナンスをより容易に行うことができる。
【００３５】
＜他の実施例＞
本発明は上記記述及び図面によって説明した実施例に限定されるものではなく、例えば次のような実施例も本発明の技術的範囲に含まれる。
（１）上記実施例では、配管がライニングに固定されている形態を例示したが、本発明の大便器ユニットは、既存の配管を再利用する場合等において、配管が壁面側に固定されている形態としても好適に用いることができる。
（２）上記実施例では、大便器の下面が床面から浮いている形態を例示したが、下面が床面に載置された形態であってもよい。
（３）上記実施例では、５系統の配管が配された形態を例示したが、配管の系統数は特に限定されない。
（４）上記実施例では、便座装置として局部洗浄機能を有する便座装置を例示したが、これは必須ではない。便座装置は、便座を有することは必須として、他の構成、機能等は特に限定されない。
（５）上記実施例では、下端が便座装置の上端よりも下方に位置する等の特定構成の洗浄タンクを例示したが、これは必須ではない。洗浄タンクは、ライニング内に配されており、洗浄水を貯留し、後方に少なくとも１系統の配管が配される限りその形態は特に限定されない。
【符号の説明】
【００３６】
１…大便器ユニット
１０…ライニング
１１…固定部材
１１Ａ…上固定部
１１Ｂ…前固定部
１１Ｃ…配管支持部
１１Ｄ…タンク固定部
１１Ｅ…便器固定部
１１Ｆ…脚
１１Ｇ…ベース
１２…天板
１３…前板
１３Ａ…上前板
１３Ｂ…下前板
１４…巾木
２０…洗浄タンク
３０…大便器
３１…洗浄管
３２…排水管
４０…便座装置
４１…便座
４２…便蓋
４３…機能部
Ｆ…床面
Ｐ１…通気配管
Ｐ２…温水配管
Ｐ３…上水配管
Ｐ４…中水配管
Ｐ５…排水配管
Ｓ…トイレ個室
Ｔ…トイレ設備
Ｗ…壁面
【図１】
2019190191.tif 000003
【図２】
2019190191.tif 000004
【図３】
2019190191.tif 000005